(57)【要約】【課題】トーションスプリングによって操作部の操作に対して弾性反発力を作用させる操作機構を具えた電子機器において、操作機構の動作信頼性を向上させる。【解決手段】本発明に係る電子機器において、トーションスプリング７は、コイル部７１と一対のアーム部７２、７２とを具え、操作部材４は、トーションスプリング７の一対のアーム部７２、７２の先端部が係合すべき一対の被係合部を具え、筐体には、トーションスプリング７の一対のアーム部７２、７２の先端部を挟んで両側に、一対の受け止め部が形成されている。操作部材４には、トーションスプリング７のコイル部７１が設置されるべき座部６６が形成され、該座部６６は、一対のアーム部７２、７２の前記一対の被係合部に対する係合量を均等化する向きにコイル部７１を傾斜させる様、コイル部７１の設置面が高低差を有している。【選択図】図１３
2013164484.tif 000002
【特許請求の範囲】
【請求項１】
操作部を有して筐体に対して回転操作可能に取り付けられた操作部材と、該操作部材の操作に弾性反発力を与えるトーションスプリングとを具えた電子機器において、前記トーションスプリングは、コイル部と、該コイル部の両端から外側に突出する一対のアーム部とを具え、前記操作部材は、前記トーションスプリングの一対のアーム部の先端部が係合すべき一対の被係合部を具え、前記筐体には、前記トーションスプリングの一対のアーム部の先端部を挟んで両側に、一対のアーム部を受け止めるための一対の受け止め部が形成されており、前記操作部材には、前記トーションスプリングのコイル部が設置されるべき座部が形成され、該座部は、前記一対のアーム部の前記一対の被係合部に対する係合量を均等化する向きにコイル部を傾斜させる様、コイル部の設置面が高低差を有していることを特徴とする、操作部を有する電子機器。
【請求項２】
操作部を有して筐体に対して回転操作可能に取り付けられた操作部材と、該操作部材の回転軸を中心として前記操作部の操作に弾性反発力を与えるトーションスプリングとを具えた電子機器において、
前記トーションスプリングは、コイル部と、該コイル部の両端から外側に突出する一対のアーム部とを具え、該一対のアーム部の両先端部にはそれぞれＵ字状に屈曲するＵ字状部が形成され、
前記操作部材は、前記回転軸回りに回転可能な円板部と、該円板部の一方の表面の中央部に突設されたボスと、該円板部の他方の表面の外周部に互いに離間して突設された一対の突片とを具え、
前記トーションスプリングは、コイル部が前記操作部材のボスの外周面に嵌まると共に、各Ｕ字状部が操作部材の円板部の外周縁部を両面側から挟持して該外周縁部に係合し、且つ、両Ｕ字状部の先端が前記一対の突片の内側面に対向しており、
前記筐体には、前記トーションスプリングの両Ｕ字状部を挟んで両側に、両Ｕ字状部を受け止めるための一対の受け止め片が形成されており、
前記操作部材には、前記ボスの周囲に、前記トーションスプリングのコイル部が設置されるべき座部が形成され、該座部は、前記コイル部の両端の内、操作部材の円板部からより近い下端から突出する一方のアーム部を操作部材の円板部から離間させる向きにコイル部を傾斜させる様、コイル部の設置面が高低差を有していることを特徴とする、操作部を有する電子機器。
【請求項３】
前記座部の設置面は斜面に形成されている請求項１又は請求項２に記載の電子機器。
【請求項４】
前記操作部材は、前記操作部を有する操作ノブと、筐体内部の機能部へ繋がるスプリング保持片とを、互いに一体回転可能に連結して構成され、スプリング保持片にトーションスプリングが取り付けられている請求項１乃至請求項３の何れかに記載の電子機器。
【発明の詳細な説明】
【技術分野】
【０００１】
本発明は、デジタルカメラやビデオカメラ等の電子機器に関するものである。
【背景技術】
【０００２】
デジタルカメラやビデオカメラは、筐体にズーム操作のための操作部を具え、該操作部は、ズーム操作機構を介して筐体内部のズーム可変装置に繋がっている。
ズーム操作機構は、前記操作部が突設されて筐体に対して回動が可能な操作部材と、該操作部材を筐体に対して回転付勢するトーションスプリングとを具え、該トーションスプリングは、そのコイル部が筐体にビスによって軸支されると共に、該コイル部に突設された一対のアーム部によって前記操作部材の双方向の回動に弾性反発力が付与されている(特許文献１参照)。
従って、トーションスプリングの弾性に抗して操作部を何れか一方向に操作すると、操作部材の回動に伴ってズーム可変装置が動作する。
【０００３】
上述のズーム操作機構においては、トーションスプリングがビスによって筐体に取り付けられている。
【０００４】
一方、トーションスプリングがビスによって軸支されたズーム操作機構の他、図１０〜図１２に示すズーム操作機構が採用されている。
該ズーム操作機構は、筐体を構成するカバーキャビネット(９)に形成された円形の取り付け部(91)と、取り付け部(91)の表面側に回動可能に配備されたズーム操作ノブ(96)と、取り付け部(91)の裏面側に回動可能に配備されたスプリング保持片(99)と、取り付け部(91)とスプリング保持片(99)の間に介在するトーションスプリング(98)とを具え、ズーム操作ノブ(96)とスプリング保持片(99)とはビス(100)(100)によって互いに連結され、一体として双方向に回動する。
トーションスプリング(98)は、コイル部の両端に一対のアーム部を突設して構成されている。
【０００５】
ズーム操作ノブ(96)には操作部(97)が突設されている。又、ズーム操作ノブ(96)の表面には、その中央部にコイルバネ(95)を介してシャッター釦(94)が設置されている。
【０００６】
トーションスプリング(98)は、スプリング保持片(99)がズーム操作ノブ(96)と連結される前の組立工程では、両アーム部が弾性反発力によって図１１の如くカバーキャビネット(９)の一対のピン(92)(92)に圧接された状態で、カバーキャビネット(９)の取り付け部(91)に仮止めされている。
この状態で、トーションスプリング(98)の一対のアーム部の両先端部を挟んで両側には、図１２に示す如くスプリング保持片(99)に形成された一対の押圧壁(99a)(99a)が対向配備されている。
【０００７】
従って、図１０に示すズーム操作ノブ(96)の操作部(97)を何れか一方向に操作すると、ズーム操作ノブ(96)とスプリング保持片(99)とが一体に回動し、スプリング保持片(99)の回動によって、スプリング保持片(99)の何れか一方の押圧壁(99a)がトーションスプリング(98)の何れか一方の先端部を押圧し、トーションスプリング(98)を弾性変形させる。
このスプリング保持片(99)の回動に連動してズーム可変装置(図示省略)が動作する。
【０００８】
その後、ズーム操作ノブ(96)から手を離せば、トーションスプリング(98)の付勢によってズーム操作ノブ(96)は元の中立位置に戻ることになる。
【０００９】
図１０〜図１２に示すズーム操作機構の組立工程においては、図１１に示す如くトーションスプリング(98)をカバーキャビネット(９)に仮止めした後、ズーム操作ノブ(96)に対して図１０の如くスプリング保持片(99)をビス止め固定する。
【先行技術文献】
【特許文献】
【００１０】
【特許文献１】特開２０１０−１９７７８９号公報
【発明の概要】
【発明が解決しようとする課題】
【００１１】
しかしながら、図１０〜図１２に示すズーム操作機構においては、トーションスプリング(98)の一対のアーム部の両先端部がスプリング保持片(99)の押圧壁(99a)(99a)に引っ掛かっているに過ぎず、然も、トーションスプリング(98)の一方のアーム部は、コイル部の上端から突出しているのに対し、他方のアーム部は、コイル部の下端から突出しており、両アーム部の高さに差が存在するため、両アーム部のスプリング保持片(99)に対する引っ掛かり量に差が生じることになる。このために、引っ掛かり量の小さな一方のアーム部がスプリング保持片(99)から外れ易く、これによって、ズーム操作機構の動作に支障を来たす問題があった。
【００１２】
そこで本発明の目的は、トーションスプリングによって操作部の操作に対して弾性反発力を作用させる操作機構を具えた電子機器において、操作機構の動作信頼性を従来よりも向上させることである。
【課題を解決するための手段】
【００１３】
本発明に係る電子機器は、操作部(51)を有して筐体(１)に対して回転操作可能に取り付けられた操作部材(４)と、該操作部材(４)の回転軸を中心として前記操作部(51)の操作に弾性反発力を与えるトーションスプリング(７)とを具えている。
【００１４】
前記トーションスプリング(７)は、コイル部(71)と、該コイル部(71)の両端から外側に突出する一対のアーム部(72)(72)とを具えている。
前記操作部材(４)は、前記トーションスプリング(７)の一対のアーム部(72)(72)の先端部が係合すべき一対の被係合部を具えている。
【００１５】
前記筐体(１)には、前記トーションスプリング(７)の一対のアーム部(72)(72)の先端部を挟んで両側に、一対のアーム部(72)(72)を受け止めるための一対の受け止め部が形成されている。
【００１６】
前記操作部材(４)には、前記トーションスプリング(７)のコイル部(71)が設置されるべき座部(66)が形成され、該座部(66)は、前記コイル部(71)の両端から突出する一対のアーム部(72a)(72b)の前記一対の被係合部に対する係合量(係合量)を均等化する向きにコイル部(71)を傾斜させる様、コイル部(71)の設置面が高低差を有している。
【００１７】
上記電子機器のより具体的な態様において、前記トーションスプリング(７)は、コイル部(71)と、該コイル部(71)の両端から外側に突出する一対のアーム部(72)(72)とを具え、該一対のアーム部(72)(72)の両先端部にはそれぞれＵ字状に屈曲するＵ字状部(73)が形成されている。
【００１８】
前記操作部材(４)は、前記回転軸回りに回転可能な円板部(61)と、該円板部(61)の一方の表面の中央部に突設されたボス(64)と、該円板部(61)の他方の表面の外周部に互いに離間して突設された一対の突片(62)(62)とを具えている。
【００１９】
前記トーションスプリング(７)は、コイル部(71)が前記操作部材(４)のボス(64)の外周面に嵌まると共に、各Ｕ字状部(73)が操作部材(４)の円板部(61)の外周縁部を両面側から挟持して該外周縁部に係合し、且つ、両Ｕ字状部(73)(73)の先端が前記一対の突片(62)(62)の内側面に対向している。
【００２０】
前記筐体(１)には、前記トーションスプリング(７)の両Ｕ字状部(73)(73)を挟んで両側に、両Ｕ字状部(73)(73)を受け止めるための一対の受け止め片(22)(22)が形成されている。
【００２１】
前記操作部材(４)には、前記ボス(64)を包囲して、前記トーションスプリング(７)のコイル部(71)が設置されるべき座部(66)が形成され、該座部(66)は、前記コイル部(71)の両端の内、操作部材(４)の円板部(61)からより近い下端から突出する一方のアーム部(72b)を操作部材(４)の円板部(61)から離間させる向きにコイル部(71)を傾斜させる様、コイル部(71)の設置面が高低差を有している。
【００２２】
上記本発明の電子機器においては、操作部(51)を一方向に操作して、操作部材(４)を回転させることにより、トーションスプリング(７)が弾性変形し、該操作部材(４)の回転によって、機器が発揮すべき１つの機能(例えばズーム機能)に変化が生じる。
その後、操作部(51)から手を離すと、トーションスプリング(７)の弾性反発力によって操作部材(４)が元の位置に戻ることになる。
【００２３】
ここで、操作部材(４)の座部(66)は、トーションスプリング(７)のコイル部(71)の設置面が高低差を有しており、該座部(66)にトーションスプリング(７)のコイル部(71)が設置されることにより、該コイル部(71)が傾斜して、コイル部(71)の両端の内、操作部材(４)の円板部(61)からより近い下端から突出する一方のアーム部(72b)が操作部材(４)の円板部(61)から離間することになる。
【００２４】
この結果、前記一方のアーム部(72b)のＵ字状部(73)は、操作部材(４)の円板部(61)の突片(62)に対して十分な引っ掛かり量(係合量)で係合することになる。
従って、両アーム部(72a)(72b)の突片(62)(62)に対する引っ掛かり量は均等化され、一方のアーム部(72b)が操作部材(４)に対する係合から外れてトーションスプリング(７)の機能が損なわれる事態が回避される。
【発明の効果】
【００２５】
本発明に係る電子機器によれば、操作部(51)の操作に対して弾性反発力を作用させるべきトーションスプリング(７)の機能を安定的に維持することが出来る。
【図面の簡単な説明】
【００２６】
【図１】図１は、本発明の一実施態様であるデジタルカメラの斜視図である。
【図２】図２は、該デジタルカメラにおけるズーム操作機構の中立状態をカバーキャビネットの裏面側から見た図である。
【図３】図３は、該デジタルカメラにおけるズーム操作機構を一方向に操作した状態をカバーキャビネットの裏面側から見た図である。
【図４】図４は、図２に示すズーム操作機構からスプリング保持片を取り外した状態を示す図である。
【図５】図５は、該デジタルカメラにおけるズーム操作機構の分解斜視図である。
【図６】図６は、トーションスプリングが取り付けられたスプリング保持片の拡大斜視図である。
【図７】図７は、スプリング保持片からトーションスプリングを取り外した状態を示す拡大斜視図である。
【図８】図８は、図６とは異なる方向から見た拡大斜視図である。
【図９】図９は、図７とは異なる方向から見た拡大斜視図である。
【図１０】図１０は、従来のデジタルカメラにおけるズーム操作機構を示す斜視図である。
【図１１】図１１は、同上のズーム操作機構の背面図である。
【図１２】図１２は、同上のズーム操作機構の分解斜視図である。
【図１３】図１３は、本発明の他の実施形態において改良された操作部材の斜視図である。
【図１４】図１４は、該操作部材の側面図である。
【図１５】図１５は、該操作部材の断面図である。
【図１６】図１６は、該操作部材を構成するスプリング保持片の斜視図である。
【発明を実施するための形態】
【００２７】
以下、本発明をデジタルカメラに実施した形態につき、図面に沿って具体的に説明する。
本発明の一実施形態であるデジタルカメラは、図１に示す如く、筐体(１)の前面部に撮影レンズ(11)を具えると共に、筐体(１)の上面壁を形成するカバーキャビネット(２)に、シャッター釦(３)と、操作部(51)を有する操作部材(４)とが配備されている。
【００２８】
操作部(51)を何れか一方向に回動操作すると、操作部材(４)は、図２に示す中立位置から、例えば図３に示す一方の回動端まで回動し、該操作部材(４)に形成された連結部(60)が繋がっている機能部としてのズーム可変装置(12)が動作することになる。
尚、ズーム可変装置(12)は具体的には、周知の光学機構等の機械的な構成やスイッチ等の電気的な構成を有している。
【００２９】
先ず、本発明の一実施形態であるデジタルカメラにおけるズーム操作機構の基本的な構成について説明した後、本発明の他の実施形態において動作信頼性を向上させたズーム操作機構の構成について説明する。
【００３０】
操作部材(４)は、図５に示す如く、カバーキャビネット(２)に形成された円形の取り付け部(21)の表面側に配置される円盤状のズーム操作ノブ(５)と、取り付け部(21)の裏面側に配置される円盤状のスプリング保持片(６)と、カバーキャビネット(２)とスプリング保持片(６)の間に介在するトーションスプリング(７)と、ズーム操作ノブ(５)に対してスプリング保持片(６)を固定する２本のビス(８)(８)とを具えている。
【００３１】
ズーム操作ノブ(５)には操作部(51)が突設されている。又、ズーム操作ノブ(５)の中央部には、コイルバネ(31)を介してシャッター釦(３)が配置される。
【００３２】
カバーキャビネット(２)の取り付け部(21)には、ビス(８)(８)が貫通すべき一対の円弧孔(23)(23)が開設されている。
又、ズーム操作ノブ(５)の裏面には、図４に示す如く、前記ビス(８)(８)がねじ込まれるべき一対のボス(52)(52)が突設されている。
【００３３】
トーションスプリング(７)は、図７及び図９に示す如く、コイル部(71)と、該コイル部(71)から外側へ突出して拡縮方向に弾性を有する一対のアーム部(72)(72)とを具え、アーム部(72)(72)の先端部にはＵ字状に屈曲するＵ字状部(73)(73)が形成されている。
【００３４】
スプリング保持片(６)は、円板部(61)の中央部にボス(64)を具えると共に、円板部(61)の背面に一対の突片(62)(62)を具え、ボス(64)の両側には前記ビス(８)(８)が貫通すべき一対の貫通孔(63)(63)が開設されている。又、ボス(64)の外周面には爪片(65)が突設されている。更に、円板部(61)の外周部に前記連結部(60)が形成されている。
【００３５】
図６及び図８に示す様に、トーションスプリング(７)は、コイル部(71)がスプリング保持片(６)のボス(64)を包囲して設置され、該コイル部(71)がボス(64)の爪片(65)によって係止されている。
又、トーションスプリング(７)は、一対のアーム部(72)(72)がスプリング保持片(６)の外周部に向かって伸び、Ｕ字状部(73)(73)がスプリング保持片(６)の円板部(61)の外周端縁部を両面側から挟持して、スプリング保持片(６)に係止されている。
これによって、トーションスプリング(７)はスプリング保持片(６)からの離脱が阻止されている。
【００３６】
そして、トーションスプリング(７)の一対のＵ字状部(73)(73)の先端は、スプリング保持片(６)の一対の突片(62)(62)の内側面にそれぞれ圧接されて、トーションスプリング(７)の一対のアーム部(72)(72)の開き方向の弾性反発力が受け止められている(図２参照)。
この状態で、トーションスプリング(７)の一対のＵ字状部(73)(73)は、スプリング保持片(６)の外周面から外側へ突出している。
【００３７】
上述のズーム操作機構がカバーキャビネット(２)に組み立てられた状態では、図２に示す様に、トーションスプリング(７)の一対のＵ字状部(73)(73)を挟んで両側に、カバーキャビネット(２)の一対の受け止め片(22)(22)が対向することになる。
【００３８】
従って、操作部材(４)の操作部(51)を何れか一方向に回動操作すると、操作部材(４)は、図２に示す中立位置から例えば図３に矢印で示す様に一方向に回動し、これに伴って、何れか一方の突片(62)がトーションスプリング(７)の何れか一方のＵ字状部(73)を押圧する。これによって、トーションスプリング(７)は、他方のＵ字状部(73)がカバーキャビネット(２)の何れか一方の受け止め片(22)により受け止められた状態で、一対のアーム部(72)(72)が閉じる方向に弾性変形する。
この操作部材(４)の回動に伴うスプリング保持片(６)の連結部(60)の変位に連動して、ズーム可変装置(図示省略)が動作する。
【００３９】
その後、操作部(51)から手を離せば、トーションスプリング(７)の弾性反発力によって、操作部材(４)は図２に示す中立位置まで戻ることになる。
【００４０】
上述のズーム操作機構の組立工程においては、図６及び図８に示す如くトーションスプリング(７)をスプリング保持片(６)に係止した後、図５に示すカバーキャビネット(２)の取り付け部(21)の両側に、ズーム操作ノブ(５)とスプリング保持片(６)を配置し、ズーム操作ノブ(５)に対してスプリング保持片(６)をビス(８)(８)によって固定する(図３参照)。
【００４１】
ここで、トーションスプリング(７)は上述の如くスプリング保持片(６)からの離脱が阻止されているので、ズーム操作ノブ(５)にスプリング保持片(６)を固定するときに、トーションスプリング(７)がスプリング保持片(６)から容易に離脱することはない。従って、ズーム操作機構の組立作業は容易なものとなる。
【００４２】
図１３〜図１６は、ズーム操作機構の動作信頼性を向上させるべく改良を施した操作部材(４)の構成を示している。尚、図１〜図９に示すズーム操作機構の構成と同じ機能を有する構成には同じ符号を付して、重複した説明を省略する。
【００４３】
操作部材(４)は、ズーム操作ノブ(５)とスプリング保持片(６)とを互いに連結して構成され、スプリング保持片(６)には、トーションスプリング(７)が取り付けられている。
【００４４】
スプリング保持片(６)には、円板部(61)の中央部にボス(64)が突設されると共に、該ボス(64)を包囲して、トーションスプリング(７)のコイル部(71)が設置されるべき座部(66)が形成されている。
【００４５】
トーションスプリング(７)は、コイル部(71)がスプリング保持片(６)のボス(64)の外周面に遊びをもって嵌合した状態で、スプリング保持片(６)の座部(66)上に設置されている。
【００４６】
ここで、スプリング保持片(６)の座部(66)は、その表面、即ちトーションスプリング(７)のコイル部(71)の設置面が斜面に形成されており、該斜面は、トーションスプリング(７)のコイル部(71)の両端から突出する一対のアーム部(72a)(72b)の内、スプリング保持片(６)の円板部(61)からより近い一方のアーム部(72b)を操作部材(４)の円板部(61)から離間させる向きにコイル部(71)を傾斜させる様、該アーム部(72b)側に高く傾斜している。
【００４７】
従って、図１４の如く、スプリング保持片(６)の座部(66)の傾斜角度をθとした場合、トーションスプリング(７)のコイル部(71)は、操作部材(４)の回転軸に対して角度θだけ傾斜することになる。
この結果、一対のアーム部(72a)(72b)の内、スプリング保持片(６)の円板部(61)からより近い一方のアーム部(72b)が操作部材(４)の円板部(61)から離間し、該アーム部(72b)のＵ字状部(73b)が突片(62)に対して係合する係合量(引っ掛かり量)Ｂと、他方のアーム部(72a)が突片(62)に対して係合する係合量(引っ掛かり量)Ｂとが、略同じ大きさとなる。
【００４８】
よって、スプリング保持片(６)の円板部(61)に突設すべき一対の突片(62)(62)の高さＡは、両アーム部(72a)(72b)について同じ大きさであって、且つ、両Ｕ字状部(73a)(73b)が十分な係合量Ｂで係合することの出来る必要最小限の大きさに設定することが出来る。これによって、後述の如くデジタルカメラの小型化が可能となる。
【００４９】
上記ズーム操作機構を具えたデジタルカメラにおいては、操作部材(４)の中立位置では、トーションスプリング(７)の両Ｕ字状部(73a)(73b)がスプリング保持片(６)の両突片(62)(62)の内側面に圧接された状態で、カバーキャビネット(２)の両受け止め片(22)(22)がトーションスプリング(７)の両Ｕ字状部(73a)(73b)に僅かな隙間をあけて対向することになる。
【００５０】
この状態から操作部(51)を操作してズーム操作ノブ(５)及びスプリング保持片(６)を一方向に回転させると、スプリング保持片(６)の一方の突片(62)がトーションスプリング(７)の一方のＵ字状部(73)を押圧する。これによって、トーションスプリング(７)は他方のＵ字状部(73)がカバーキャビネット(２)の受け止め片(22)によって受け止められた状態で弾性変形し、操作部(51)の操作に対して弾性反発力が作用することになる。
【００５１】
上記ズーム操作機構を具えたデジタルカメラによれば、操作部材(４)から下方へ突出する一対の突片(62)(62)の高さを必要最小限の大きさに設定することが出来るので、操作部材(４)の下方に配備されるべき構成部(例えば回路基板やフレキシブル配線基板等)とのクリアランスを小さく設定することによって、デジタルカメラのコンパクト化が可能となる。
【００５２】
ここで、トーションスプリング(７)の両アーム部(72a)(72b)の突片(62)(62)に対する引っ掛かり量は十分に確保されているので、一方のアーム部(72b)の突片(62)との係合が外れてトーションスプリング(７)の機能が損なわれることはない。
【００５３】
尚、本発明の各部構成は上記実施の形態に限らず、特許請求の範囲に記載の技術的範囲内で種々の変形が可能である。
又、本発明はデジタルカメラに限らず、操作部を有する種々の電子機器に実施することも可能である。この場合、操作機構は、ズームズーム可変装置に限らず、機器を構成する種々の機能部に連繋することが出来る。
【符号の説明】
【００５４】
(１)  筐体
(２)  カバーキャビネット
(21)  取り付け部
(４)  操作部材
(５)  ズーム操作ノブ
(51)  操作部
(52)  ボス
(６)  スプリング保持片
(61)  円板部
(62)  突片
(64)  ボス
(66)  座部
(７)  トーションスプリング
(71)  コイル部
(72)  アーム部
(73)  Ｕ字状部
(８)  ビス
【図１】
2013164484.tif 000003
【図２】
2013164484.tif 000004
【図３】
2013164484.tif 000005
【図４】
2013164484.tif 000006
【図５】
2013164484.tif 000007
【図６】
2013164484.tif 000008
【図７】
2013164484.tif 000009
【図８】
2013164484.tif 000010
【図９】
2013164484.tif 000011
【図１０】
2013164484.tif 000012
【図１１】
2013164484.tif 000013
【図１２】
2013164484.tif 000014
【図１３】
2013164484.tif 000015
【図１４】
2013164484.tif 000016
【図１５】
2013164484.tif 000017
【図１６】
2013164484.tif 000018